(57)【要約】【課題】  配電盤内を停電させず、又動作を停止させないで換気口を追加したり、あるいは換気口の大きさを変更することができるようにするとともに、現場における作業時間を短くすることができる配電盤を得る。【解決手段】  配電盤の箱体１の上部に開口部３を設け、箱体１の上部に設けられた取り付け金具４に換気口５Ａが設けられたパネル５ｂをボルト６及びパッキン７ａ、７ｂによって取付け、更に箱体１の上部にはパネル５ｂを囲むようにして、通気口１２が設けられた屋根１０ｂをアイボルト１１によって取付ける。【選択図】        図２
2006311698.tif 000002
【特許請求の範囲】
【請求項１】
上面に開口部を設けた箱体と、この箱体内の換気が可能なように前記開口部を塞ぐとともに、前記箱体に着脱可能に取り付けられたパネルと、前記箱体の上部を覆うように前記箱体に着脱可能に取り付けられ、かつ通気口が設けられた屋根を備えることを特徴とする配電盤。
【請求項２】
前記パネルに換気口を設けることを特徴とする請求項１記載の配電盤。
【請求項３】
前記パネルを前記開口部と所定の間隔を持たせて取り付けるための取り付け具を備えることを特徴とする請求項１記載の配電盤。
【請求項４】
前記取り付け具が前記パネルと前記開口部との間隔を調整することができることを特徴とする請求項３記載の配電盤。
【請求項５】
前記屋根に設けられた前記通気口を前記箱体の前後に設けることを特徴とする請求項１記載の配電盤。
【発明の詳細な説明】
【技術分野】
【０００１】
この発明は、配電盤に関するものであり、特にその換気構造に関するものである。
【背景技術】
【０００２】
従来の屋外型配電盤においては、屋根部を箱体部に対し屋根支持部により一体に結合することにより、風洞状の天井部を形成したものがあった（特許文献１）。
【０００３】
【特許文献１】特開２０００−２６１９１６号公報
【発明の開示】
【発明が解決しようとする課題】
【０００４】
従来の配電盤は上記のように構成されており、屋根部と箱体部が一体的に構成されているので、配電盤内に発生した熱を放出するために換気口が必要になったり、更に換気口の大きさを変える必要が生じたような場合、箱体に穴を開けなければならず、従って配電盤内を停電させ、動作を停止させなければならないという問題点があった。更には現場に於ける作業時間が長くなってしまうという問題もあった。
【０００５】
この発明は上記のような課題を解決するためになされたものであり、配電盤内を停電させず、又動作を停止させないで換気口を追加したり、あるいは換気口の大きさを変更することができるとともに、現場における作業時間を短くすることができる配電盤を提供することを目的とする。
【課題を解決するための手段】
【０００６】
この発明に係る配電盤は、上面に開口部を設けた箱体と、この箱体内の換気が可能なように開口部を塞ぐとともに、箱体に着脱可能に取り付けられたパネルと、箱体の上部を覆うように箱体に着脱可能に取り付けられ、かつ通気口が設けられた屋根を備えたものである。
【発明の効果】
【０００７】
この発明に係る配電盤は、上面に開口部を設けた箱体と、この箱体内の換気が可能なように開口部を塞ぐとともに、箱体に着脱可能に取り付けられたパネルと、箱体の上部を覆うように箱体に着脱可能に取り付けられ、かつ通気口が設けられた屋根を備えたので、配電盤内を停電させず、又動作を停止させないで換気口を追加したり、あるいは換気口の大きさを変更することができる。
【発明を実施するための最良の形態】
【０００８】
実施の形態１．
以下この発明の一実施形態を図に基づいて説明する。図１、図２はこの発明の実施の形態１による配電盤の上部を示す側面断面図、図３は図２におけるＡ−Ａ線平面断面図、図４は図１におけるＸ部拡大断面図である。図１は換気口を設けていない場合を示し、図２、図３は換気口を設けた場合を示している。図１、図４において、箱体１の天井部の４隅には防水加工が施されたねじ座２が設けられるとともに、箱体１の上面には長方形の開口部３が設けられている。尚開口部３の形状は長方形に限られるものではなく、その他どのような形状であっても良い。
【０００９】
開口部３は短い側壁３ａと、開口部３に対して外側に所定の長さだけ突出したフランジ３ｂを有している。そしてパネル５を固定するための取り付け金具４は側壁３ａに溶接により取り付けられており、取り付け金具４の上面とフランジ３ｂの上面とは一致するように構成されている。又取り付け金具４は、図３に示すように、開口部３の左右両側面における４隅に近い位置４ヶ所に取り付けられるとともに、上下両側面の中央部２ヶ所に取り付けられ、合計６個の取り付け金具４が設けられている。更にこの取り付け金具４には、所定径を有するねじ穴４ａが設けられている。
【００１０】
換気口が設けられていないパネル５ａが取り付け金具４に対しボルト６及びパッキン７ａ、７ｂによって密閉されて固定されている。パッキン７ａはボルト６の周囲にあるものであり、パッキン７ｂはフランジ３ｂとパネル５ａによって挟まれているものである。そして上部に雌ねじ、下部に雄ねじが施されている４つの角柱８がねじ座２に取付けられ、上部４ヶ所に貫通穴９が施されている屋根１０ａが角柱８の上に載置され、アイボルト１１を屋根１０ａに設けられた貫通穴９に貫通させることにより、屋根１０ａが角柱８に取付けられる。図５はパネル５ａを示す側面断面図、図６は屋根１０ａを示す側面断面図である。尚図示されていないが、箱体１の内部には、様々な熱を発生させる電気機器が設置されている。
【００１１】
次に配電盤内において発生した熱により換気口が新たに必要になったり、あるいは換気口の大きさを変更する必要が生じた場合について説明する。この場合には、先ずアイボルト１１が外され、屋根１０ａが箱体１から外される。そしてボルト６とパッキン７ａ、７ｂが外され、パネル５ａが箱体１から取り外される。
【００１２】
次に図２、図３に示すように、換気口５Ａが設けられたパネル５ｂがボルト６及びパッキン７ａ、７ｂにより、取り付け金具４に取り付けられる。屋根１０ｂの下面部には、取り外し可能な通気口１２が設けられており、この通気口１２にフィルター１３が取付けられ、更にフィルター１３は皿ねじ１４によって屋根１０ｂに固定される。
【００１３】
以上のように構成することにより、図２の矢印で示されるように、配電盤内で発生した熱は開口部３及び通気口１２を介して外部に放出される。尚、換気口５Ａの大きさは配電盤における発熱量に応じて決められるものであり、又通気口１２は屋根１０ｂの下面部以外に設けても良い。
【００１４】
上記のように本発明によれば、パネルを取り替えることにより容易に換気口を追加したり、あるいは変更することができ、従って配電盤内を停電させず、又動作を停止させないで作業を行うことができ、又現場における作業時間を短縮させることができる。
【００１５】
実施の形態２．
図７はこの発明の実施の形態２による配電盤の上部を示す側面断面図、図８は図７におけるＢ−Ｂ線平面断面図である。本実施形態においては、屋根１０ｃの前後下面部に通気口１２ｂ、１２ｃを設けたものである。
【００１６】
上記のように構成することにより、矢印Ｙで示される直射日光が屋根１０ｃに当たり、屋根１０ｃ内部において、熱が発生し、直射日光により箱体１内の温度が上昇するようなことがあっても、通気口１２ｂ、１２ｃを設けることにより、外からの風が箱体１の内部を通り易くなり、熱を外部へ排出することができるので、配電盤内における温度が上昇するのを抑制することができる。尚通気口は屋根１０ｃの下面部以外に設けても良く、又パネル５ａの代わりに、換気口５Ａを有するパネル５ｂを使用しても良い。
【００１７】
実施の形態３．
図９はこの発明の実施の形態３による配電盤の上部を示す側面断面図である。本実施形態においては、箱体１の上部に設けられた取り付け金具４と、図１に示されたパネル５ａとの間に、垂直方向において伸縮することのできる伸縮金具３１を設置したものである。
【００１８】
そして屋根としては、図２に示された屋根１０ｂが用いられる。即ち、屋根１０ｂの下面部には通気口１２が設けられており、そしてフィルター１３は皿ねじ１４によって屋根１０ｂに固定されている。屋根１０ｂはアイボルト１１によって箱体１に固定される。尚屋根としては、図７に示された屋根１０ｃを用いても良い。
【００１９】
伸縮金具３１の長さを調整することにより、換気口の大きさを変えることができ、配電盤内で発生した熱量により、換気口の大きさを調整することができるようになる。即ちパネル５ａを開口部３と所定の間隔を持たせて取り付けるための取り付け具として伸縮金具３１を利用したものである。
【００２０】
上記のように構成することにより、容易に換気口を追加し、あるいは変更することができ、従って配電盤内を停電させず、又動作を停止させないで作業を行うことができ、現場における作業時間を短縮させることができる。
【図面の簡単な説明】
【００２１】
【図１】この発明の実施の形態１による配電盤の上部を示す側面断面図である。
【図２】この発明の実施の形態１による配電盤の上部を示す側面断面図である。
【図３】図２におけるＡ−Ａ線平面断面図である。
【図４】図１におけるＸ部拡大断面図である。
【図５】パネルを示す側面断面図である。
【図６】屋根を示す側面断面図である。
【図７】この発明の実施の形態２による配電盤の上部を示す側面断面図である。
【図８】図７におけるＢ−Ｂ線平面断面図である。
【図９】この発明の実施の形態３による配電盤の上部を示す側面断面図である。
【符号の説明】
【００２２】
１  箱体、３  開口部、５  パネル、１０  屋根、１２  通気口、３１  伸縮金具。
【図１】
2006311698.tif 000003
【図２】
2006311698.tif 000004
【図３】
2006311698.tif 000005
【図４】
2006311698.tif 000006
【図５】
2006311698.tif 000007
【図６】
2006311698.tif 000008
【図７】
2006311698.tif 000009
【図８】
2006311698.tif 000010
【図９】
2006311698.tif 000011